【手続補正書】
【提出日】平成17年8月5日(2005.8.5)
【手続補正１】
【補正対象書類名】明細書
【補正対象項目名】特許請求の範囲
【補正方法】変更
【補正の内容】
【特許請求の範囲】
【請求項１】  溶融加工前に、(1) (a)オレフィンポリマー類、(b)ビニル置換芳香族化合物のポリマー類、(c) (i)アルファ-炭素原子位で1〜3Cアルキル基によって置換されたアクリル酸のエステル、および(ii) (i)とフリーラジカルによって重合し得る少なくとも1種のモノマーとの組合せからなる群から選ばれるアクリル酸エステルのポリマー類、および(d) (i)アルファ-炭素原子位で1〜3Cアルキル基によって置換されたアクリル酸のエステル、および(ii) (i)とフリーラジカルによって重合し得る少なくとも1種のモノマーとの組合せからなる群から選ばれたモノマーをグラフト重合させたプロピレンポリマー物質の主鎖を含むグラフトコポリマーからなる群から選ばれたポリマーと、(2)このポリマーの質量基準で、約0.1%〜約5%の少なくとも１つの不飽和部位を有する少なくとも1種の脂肪族化合物をブレンドすること、この脂肪族化合物が少なくとも200の分子量と少なくとも10のヨウ素価を有することを特徴とするポリマー類の熱安定性の改良方法。
【請求項２】  前記ポリオレフィンがプロピレンホモポリマーである請求の範囲第1項記載の方法。
【請求項３】  前記ビニル置換芳香族化合物が、(a)スチレン、(b)アルファ-メチルスチレン、および(c)環置換スチレン類からなる群から選ばれる請求の範囲第1項記載の方法。
【請求項４】  前記アクリル酸エステルのポリマーが、ポリ(メチルメタクリレート)である請求の範囲第1項記載の方法。
【請求項５】  前記グラフトコポリマーのプロピレンポリマー物質主鎖が、下記からなる群から選ばれる請求の範囲第1項記載の方法：
(a) 80よりも大きいアイソタクチック指数を有するプロピレンの結晶性ホモポリマー；
(b) プロピレンと、エチレンおよび4〜10Cアルファ-オレフィン類からなる群から選ばれる1種のオレフィンとの結晶性コポリマー、但し、オレフィンがエチレンの場合は最高重合エチレン含有量が10質量％であり、オレフィンが4〜10Cアルファ-オレフィンの場合はその最高重合含有量が20%であることを条件とし、このコポリマーは85よりも大きいアイソタクチック指数を有する；
(c) プロピレンと、エチレンおよび4〜8Cアルファ-オレフィン類からなる群から選ばれる2種のオレフィンとの結晶性ターポリマー、但し、最高重合4〜8Cα-オレフィン含有量は20質量％であり、エチレンが前記オレフィンの１つである場合は最高重合エチレン含有量が5質量％であることを条件とし、このターポリマーは85よりも大きいアイソタクチック指数を有する；
(d) 下記を含むオレフィンポリマー組成物：
(i) 約10質量％〜約60質量％の80よりも大きいアイソタクチック指数を有する結晶性プロピレンホモポリマー、または(a)プロピレンとエチレン、(b)プロピレン、エチレンおよび4〜8Cアルファ-オレフィン、および(c)プロピレンと4〜8Cアルファ-オレフィンからなる群から選ばれるモノマー類の結晶性コポリマー、このコポリマーは85質量％よりも多い重合プロピレン含有量および85よりも大きいアイソタクチック指数を有する；
(ii) 約5％〜約25％の周囲温度でキシレンに不溶性のエチレンとプロピレンまたは4〜8Cアルファ-オレフィンとのコポリマー；および、
(iii) 約30％〜約70％の(a)エチレンとプロピレン、(b)エチレン、プロピレンおよび4〜8Cアルファ-オレフィン、および(c)エチレンと4〜8Cアルファ-オレフィンからなる群から選ばれるモノマー類の弾性コポリマー、このコポリマーは、70質量％未満の重合エチレンを含有し、周囲温度でキシレンに可溶性であり、さらに約1.5〜約4.0 dl/gの固有粘度を有する；
(ii)および(iii)の合計量は、総オレフィンポリマー組成物基準で、約50%〜約90%であり、(ii)/(iii)の質量比は0.4未満であり、この組成物は、少なくとも2工程の重合によって調製され、150 MPa未満の曲げモジュラスを有する；および、
(e) 下記を含む熱可塑性オレフィン：
(i) 約10％〜約60％の80よりも大きいアイソタクチック指数を有する結晶性プロピレンホモポリマー、または(a)エチレンとプロピレン、(b)エチレン、プロピレンおよび4〜8Cアルファ-オレフィン、および(c)エチレンと4〜8Cアルファ-オレフィンからなる群から選ばれるモノマー類の結晶性コポリマー、このコポリマーは85質量％よりも多い重合プロピレン含有量および85よりも大きいアイソタクチック指数を有する；
(ii) 約20%〜約60%の(a)エチレンとプロピレン、(b)エチレン、プロピレンおよび4〜8Cアルファ-オレフィン、および(c)エチレンと4〜8Cアルファ-オレフィンからなる群から選ばれるモノマー類の非晶質コポリマー、このコポリマーは、70質量％未満の重合エチレンを含有し、周囲温度でキシレンに可溶性である；および、
(iii) 約3%〜約40%の周囲温度でキシレンに不溶性のエチレンとプロピレンまたは4〜8Cアルファ-オレフィンとのコポリマー；
この組成物は150 MPaよりも大きいが1200 MPaよりも小さい曲げモジュラスを有する。
【請求項６】  前記プロピレンポリマー物質がプロピレンホモポリマーである請求の範囲第5項記載の方法。
【請求項７】  プロピレンポリマー物質の主鎖にグラフト重合させたモノマーがメチルメタクリレートとメチルアクリレートである請求の範囲第1項記載の方法。
【請求項８】  プロピレンポリマー物質の主鎖にグラフト重合させたモノマーがメチルメタクリレートとメタクリル酸である請求の範囲第1項記載の方法。
【請求項９】  プロピレンポリマー物質の主鎖にグラフト重合させたモノマーがメチルメタクリレートとスチレンである請求の範囲第1項記載の方法。
【請求項１０】  前記不飽和脂肪族化合物が、脂肪油類、スクアレン、ポリブタジエン、および不飽和脂肪族アミン化合物からなる群から選ばれる請求の範囲第1項記載の方法。
【請求項１１】  脂肪油が、(a)大豆油、(b)サフラワー油、および(c)アマニ油からなる群から選ばれる請求の範囲第10項記載の方法。
【請求項１２】  請求の範囲第1項記載の方法によって製造した生成物。
【請求項１３】  (1) (a)ビニル置換芳香族化合物のポリマー類、(b) (i)アルファ-炭素原子位で1〜3Cアルキル基によって置換されたアクリル酸のエステル、および(ii) (i)とフリーラジカルによって重合し得る少なくとも1種のモノマーとの組合せからなる群から選ばれるアクリル酸エステルのポリマー類、および(c) (i)アルファ-炭素原子位で1〜3Cアルキル基によって置換されたアクリル酸のエステル、および(ii) (i)とフリーラジカルによって重合し得る少なくとも1種のモノマーとの組合せからなる群から選ばれたモノマーをグラフト重合させたプロピレンポリマー物質の主鎖を含むグラフトコポリマーからなる群から選ばれたポリマーと、(2)このポリマーの質量基準で、約0.1%〜約5%の少なくとも１つの不飽和部位を有する少なくとも1種の脂肪族化合物とを含み、この脂肪族化合物が少なくとも200の分子量と少なくとも10のヨウ素価を有することを特徴とする組成物。
【請求項１４】  前記ポリオレフィンがプロピレンホモポリマーである請求の範囲第13項記載の組成物。
【請求項１５】  前記ビニル置換芳香族化合物が、(a)スチレン、(b)アルファ-メチルスチレン、および(c)環置換スチレン類からなる群から選ばれる請求の範囲第13項記載の組成物。
【請求項１６】  前記アクリル酸エステルのポリマーが、ポリ(メチルメタクリレート)である請求の範囲第13項記載の組成物。
【請求項１７】  前記グラフトコポリマーのプロピレンポリマー物質主鎖が、下記からなる群から選ばれる請求の範囲第13項記載の組成物：
(a) 80よりも大きいアイソタクチック指数を有するプロピレンの結晶性ホモポリマー；
(b) プロピレンと、エチレンおよび4〜10Cアルファ-オレフィン類からなる群から選ばれる1種のオレフィンとの結晶性コポリマー、但し、オレフィンがエチレンの場合は最高重合エチレン含有量が10質量％であり、オレフィンが4〜10Cアルファ-オレフィンの場合はその最高重合含有量が20%であることを条件とし、このコポリマーは85よりも大きいアイソタクチック指数を有すること；
(c) プロピレンと、エチレンおよび4〜8Cアルファ-オレフィン類からなる群から選ばれる2種のオレフィンとの結晶性ターポリマー、但し、最高重合4〜8Cα-オレフィン含有量は20質量％であり、エチレンが前記オレフィンの１つである場合は最高重合エチレン含有量が5質量％であることを条件とし、このターポリマーは85よりも大きいアイソタクチック指数を有すること；
(d) 下記を含むオレフィンポリマー組成物：
(i) 約10質量％〜約60質量％の80よりも大きいアイソタクチック指数を有する結晶性プロピレンホモポリマー、または(a)プロピレンとエチレン、(b)プロピレン、エチレンおよび4〜8Cアルファ-オレフィン、および(c)プロピレンと4〜8Cアルファ-オレフィンからなる群から選ばれるモノマー類の結晶性コポリマー、このコポリマーは85質量％よりも多い重合プロピレン含有量および85よりも大きいアイソタクチック指数を有すること；
(ii) 約5％〜約25％の周囲温度でキシレンに不溶性のエチレンとプロピレンまたは4〜8Cアルファ-オレフィンとのコポリマー；および、
(iii) 約30％〜約70％の(a)エチレンとプロピレン、(b)エチレン、プロピレンおよび4〜8Cアルファ-オレフィン、および(c)エチレンと4〜8Cアルファ-オレフィンからなる群から選ばれるモノマー類の弾性コポリマー、このコポリマーは、70質量％未満の重合エチレンを含有し、周囲温度でキシレンに可溶性であり、さらに約1.5〜約4.0 dl/gの固有粘度を有すること；
(ii)および(iii)の合計量は、総オレフィンポリマー組成物基準で、約50%〜約90%であり、(ii)/(iii)の質量比は0.4未満であり、この組成物は、少なくとも2工程の重合によって調製され、150 MPa未満の曲げモジュラスを有すること；および、
(e) 下記を含む熱可塑性オレフィン：
(i) 約10％〜約60％の80よりも大きいアイソタクチック指数を有する結晶性プロピレンホモポリマー、または(a)エチレンとプロピレン、(b)エチレン、プロピレンおよび4〜8Cアルファ-オレフィン、および(c)エチレンと4〜8Cアルファ-オレフィンからなる群から選ばれるモノマー類の結晶性コポリマー、このコポリマーは85質量％よりも多い重合プロピレン含有量および85よりも大きいアイソタクチック指数を有すること；
(ii) 約20%〜約60%の(a)エチレンとプロピレン、(b)エチレン、プロピレンおよび4〜8Cアルファ-オレフィン、および(c)エチレンと4〜8Cアルファ-オレフィンからなる群から選ばれるモノマー類の非晶質コポリマー、このコポリマーは、70質量％未満の重合エチレンを含有し、周囲温度でキシレンに可溶性であること；および、
(iii) 約3%〜約40%の周囲温度でキシレンに不溶性のエチレンとプロピレンまたは4〜8Cアルファ-オレフィンとのコポリマー；
この組成物は150 MPaよりも大きいが1200 MPaよりも小さい曲げモジュラスを有すること。
【請求項１８】  前記プロピレンポリマー物質がプロピレンホモポリマーである請求の範囲第17項記載の組成物。
【請求項１９】  プロピレンポリマー物質の主鎖にグラフト重合させたモノマーがメチルメタクリレートとメチルアクリレートである請求の範囲第13項記載の組成物。
【請求項２０】  プロピレンポリマー物質の主鎖にグラフト重合させたモノマーがメチルメタクリレートとメタクリル酸である請求の範囲第13項記載の組成物。
【請求項２１】  プロピレンポリマー物質の主鎖にグラフト重合させたモノマーがメチルメタクリレートとスチレンである請求の範囲第13項記載の組成物。
【請求項２２】  前記不飽和脂肪族化合物が、脂肪油類、スクアレン、ポリブタジエン、および不飽和脂肪族アミン化合物からなる群から選ばれる請求の範囲第13項記載の組成物。
【請求項２３】  脂肪油が、(a)大豆油、(b)サフラワー油、および(c)アマニ油からなる群から選ばれる請求の範囲第22項記載の組成物。
【請求項２４】  組成物の総質量基準で、約2%〜約30%の(a)オレフィンコポリマーゴム、(b)モノアルケニル芳香族炭化水素-共役ジエンブロックコポリマー、および(c)コア-シェルゴムからなる群から選ばれる1種以上のゴム成分をさらに含む請求の範囲第13項記載の組成物。
【請求項２５】  組成物の総質量基準で、約5%〜約90%の約5〜約60のMw/Mnおよび約0.5〜約50 g/10 minの溶融流動速度を有する広分子量分布プロピレンポリマー物質をさらに含む請求の範囲第13項記載の組成物。
【請求項２６】  組成物の総質量基準で、約5%〜約90%の約5〜約60のMw/Mnおよび約0.5〜約50 g/10 minの溶融流動速度を有する広分子量分布プロピレンポリマー物質をさらに含む請求の範囲第24項記載の組成物。